(57)【特許請求の範囲】
【請求項１】
開閉部に連動連結された主軸に第一レバーを介してコロを設ける一方、第二レバーを介して遮断ばねの一端を結合し、開閉部が閉になりかつ遮断ばねが蓄勢された状態で揺動自在なコロを拘束するトリップフックを設け、
トリップフックは、コロが揺動する軌道の延長線上に設けた軸心を中心として回動自在な軸部と、相互に反対方向へ突出する少なくとも一対の突出部とで構成し、
コロと一対の突出部とが同一直線上に位置するところでトリップフックの回動を止めるストッパとストッパに当接するまでトリップフックを回動させる付勢手段と、付勢手段の付勢力に抗してトリップフックを回動させる引き外し電磁石とを設け、
前記ストッパには、トリップフックにおける反コロ側の突出部が回動するのを拘束する回動拘束部を設け、コロの衝突で移動した突出部がストッパに衝突しないように突出部とストッパとの間に隙間を形成したことを特徴とする開閉装置。
【発明の詳細な説明】
【０００１】
【発明の属する技術分野】
本発明は開閉装置に関し、操作部を改良したものである。
【０００２】
【従来の技術】
開閉装置には、充電部を樹脂でモールドして絶縁した固体絶縁開閉装置がある。図４に示すように、固体絶縁開閉装置は固定部１と可動部２とに分けられ、可動部２には車輪３が設けられていて搬出，搬入が可能である。
【０００３】
まず、固定部１について説明する。図中、４は三相分のケーブル、５はケーブル４に接続されたケーブル側断路部、６は接地開閉器、７は接地開閉器６を操作する操作箱、８は三相分の母線、９は母線側断路部である。
【０００４】
次に、可動部２について説明する。１６は極柱、１０は三相分の真相インタラプタ、１１，１２は真空インタラプタ１０から導出されてケーブル側断路部５，母線側断路部９に接続される外部導体、１３は真空インタラプタ１０を操作する操作部、１４は制御部、１５はねじ結合により可動部２を固定部１に結合したり分離したりするためハンドルによって回されるねじ軸である。
【０００５】
次に、操作部１３の構造を図５に基づいて作用と共に説明する。まず、投入ばね１７は以下のようにして蓄勢される。モータ１８の出力軸が回転すると、その回転力が減速機１９を介して回転板２０に伝わり、一端が回転板２０の偏心位置に回転自在に結合されたツメ２１が往復移動する。すると、ツメ２１がツメ車２２を少しずつ間欠的に同一方向へ回転させることから、ワンウェイクラッチを介して同一方向へのみ回転しうるように支持されたカム軸２３が矢印の方向へ回転する。カム軸２３が回転するに伴って上端がレバー２７を介してカム軸２３に取り付けられた投入ばね１７が蓄勢され、カム軸２３の回転がデッドポイントを過ぎるとコロ２４が投入フック２５と係合し、リミットスイッチがＯＦＦになってモータ１５の回転が止まる。これにより、投入ばね１７の蓄勢が完了する。
【０００６】
投入は、以下のようにして行われる。投入命令により、投入電磁石２６が投入フック２５を回動させると、コロ２４が投入フック２５から外れ、投入ばね１７が放勢される。すると、カム軸２３と共にカム軸２３に設けられた投入カム２８が高速で回転し、コロ２９を押し出す。すると、主軸３２にレバー３０ａを介して設けられた遮断ばね３０と圧接ばね３１とを圧縮しながら主軸３２が実線の矢印の方向へ回動し、絶縁ロッド３３が実線の矢印の方向へ移動する。図４に示すように、絶縁ロッド３３の移動方向は、三角レバー３４を介して可動リード３５の上方向への動きに変換され、真空インタラプタ１０が投入される。
【０００７】
投入の際に主軸３２にレバー３６ａを介して取り付けられたコロ３６はトリップフック３７から離れる方向へ揺動し、ベアリング３８を介して回動自在にカム軸２３に取り付けられるとともに復帰ばね３９に付勢されるトリップフック３７は復帰してストッパ４０に当接する。このとき、図６（ａ）に示すように投入カム２８の最大半径寸法よりもトリップフック３７の軸心から先端までの距離がａだけ小さく設定されているので、遮断ばね３０の放勢によってコロ３６はトリップフック３７と係合し、真空インタラプタ１０の投入状態が保持される。
【０００８】
最後に遮断動作について説明する。遮断命令が出ると、引き外し電磁石４１がトリップフック３７を押す。すると、トリップフック３７がコロ３６から外れ、蓄勢されていた遮断ばね３０が放勢することから、コロ３６がトリップフック３７の中心へ向かって動く。このため、主軸３２が破線の矢印の方向へ回動して真空インタラプタ１０は遮断される。
【０００９】
【発明が解決しようとする課題】
ところが、真空インタラプタの投入時に遮断ばねの放勢力により、図６（ａ）の位置にあったコロ３６が図６（ｂ）に示すようにトリップフック３７に衝突し、カム軸２３が瞬間的にｂだけ右方へ移動すると同時にストッパ４０の存在によってトリップフック３７は反時計方向へ回されコロ３６との係合が外れるおそれがある。このため、復帰ばね３９のばね定数を大きくし引き外し電磁石も強力なものにせざるを得ず、結果として開閉装置が大形化する。
【００１０】
一方、図６（ａ）におけるＰの位置にストッパを配置すれば、コロ３６がトリップフック３７に衝突したときはトリップフック３７とストッパ４０との間に隙間が生じるから問題が生じないように思えるが、その後に片持ちのカム軸２３が左方へ戻るので、トリップフック３７はやはり反時計方向への力を受けることになる。
【００１１】
そこで本発明は、斯る課題を解決した開閉装置を提供することを目的とする。
【００１２】
【課題を解決するための手段】
斯る目的を達成するための請求項１に係る開閉装置の構成は、開閉部に連動連結された主軸に第一レバーを介してコロを設ける一方、第二レバーを介して遮断ばねの一端を結合し、開閉部が閉になりかつ遮断ばねが蓄勢された状態で揺動自在なコロを拘束するトリップフックを設け、トリップフックは、コロが揺動する軌道の延長線上に設けた軸心を中心として回動自在な軸部と、相互に反対方向へ突出する少なくとも一対の突出部とで構成し、コロと一対の突出部とが同一直線上に位置するところでトリップフックの回動を止めるストッパとストッパに当接するまでトリップフックを回動させる付勢手段と、付勢手段の付勢力に抗してトリップフックを回動させる引き外し電磁石とを設け、前記ストッパには、トリップフックにおける反コロ側の突出部が回動するのを拘束する回動拘束部を設け、コロの衝突で移動した突出部がストッパに衝突しないように突出部とストッパとの間に隙間を形成したことを特徴とする。
【００１３】
【発明の実施の形態】
以下、本発明を図面に示す実施例に基づいて詳細に説明する。なお、本実施例は従来の開閉装置の一部を改良したものなので、従来と同一部分には同一符号を付して説明を省略し、異なる部分のみを説明する。
【００１４】
（ａ）実施例１
本発明による開閉装置の実施例１を、図１に示す。本発明は、トリップフックの回転を拘束するストッパを改良したものである。図のように取付板４２にストッパ４３が取り付けられている。即ち、以下のようになっている。取付板４２の上部にガイド部材５０が溶接結合され、ガイド部材５０には鉛直方向に沿ってガイド孔４４が形成されている。
【００１５】
ストッパ４３はねじ部４３ａをガイド孔４４に挿入してナット４５を螺合することによりガイド部材５０から吊り下げられている。
【００１６】
ストッパ４３には、トリップフック３７が時計方向へ回動するのを拘束するために回動拘束部４３ｂが形成されている。
【００１７】
ストッパ４３をある高さに設定して取付板４２に固定するため、取付板４２には鉛直方向へ長い長孔４６が形成される一方、ストッパ４３にはタップ孔４７が形成され、長孔４６に挿入したボルト４８がタップ孔４７に螺合されている。
【００１８】
トリップフック３７には軸部３７ｅのまわりに円周方向に沿って９０°ごとに４つの突出部３７ａ〜３７ｄが形成されており、突出部３７ｂには復帰ばね３９の一端が結合され、突出部３７ｃには引き外し電磁石４１が臨んでいる。
【００１９】
次に、斯る開閉装置の作用を説明する。まずストッパ４３の高さ位置を設定するために、ボルト４８を緩め、ナット４５を緩める。すると復帰ばね３９が作用してストッパ４３は下方へ引かれる。この状態からナット４５を締め込んで、コロ３６の下面から回動拘束部４３ｂの上面までの高さＨが所定の値となるようにする。そして、ボルト４８を締め付ける。ここで、突出部３７ｂと回動拘束部４３ｂとの隙間Ｇは、カム軸２３が図１中の右方へ移動しても突出部３７ｂの先端がストッパ４３に衝突しない値に設定されている。
【００２０】
真空インタラプタが投入される際に遮断ばねの放勢力でコロ３６がトリップフック３７の突出部３７ａに衝突すると、トリップフック３７は右方へ移動するが、隙間Ｇがあるので突出部３７ｂはストッパ４３に衝突せず、トリップフック３７に回転力が作用することはない。従って、コロ３６と突出部３７ａとの係合が外れるようなことはない。
【００２１】
（ｂ）実施例２
次に、本発明による開閉装置の実施例２の要部を図２に示す。この実施例は、図１におけるガイド部材５０とストッパ４３との間にばね４９を介在させたものである。
【００２２】
ばね４９を設けたことから、ボルト４８を緩めたときに、ばね４９の放勢力によりナット４５がガイド部材５０に当接するまでストッパ４３が確実に降下することになる。その他の構成，作用は実施例１と同じなので、説明を省略する。
【００２３】
（ｃ）実施例３
最後に、本発明による開閉装置の実施例３の要部を図３に示す。ストッパ４３には鉛直方向へ長い長孔５１が形成される一方、取付板４２に植設されたピン５２が長孔５１内に挿入されて、ストッパ４３が昇降自在に案内されている。一方、両端に右ねじと左ねじとが形成された両ねじボルト５３がガイド部材５０及びストッパ４３に螺合され、ロックナット５４，５５が両ねじボルト５３に螺合されている。
【００２４】
斯る開閉装置では、ストッパ４３の高さを調整する際に、ロックナット５４，５５を緩め、両ねじボルト５３をいずれかの方向へ回転させる。そして、ピン５２と長孔５１とによって案内されるストッパ４３が適正な高さになったら、再びロックナット５４，５５を締める。その他の構成，作用は実施例１と同じなので、説明を省略する。
【００２５】
なお、実施例１〜３では引き外し電磁石４１を突起部３７ｃに臨ませたが、突起部３７ｂに臨ませることもできる。従って、突起部３７ｄを削除することもでき、あるいは突起部３７ｃ，３７ｄを削除して突起部３７ａ，３７ｂのみにすることもできる。
【００２６】
【発明の効果】
以上の説明からわかるように、請求項１に係る開閉装置によれば、真空インタラプタの投入時に遮断ばねの放勢力で、コロがトリップフックを押しても移動したトリップフックがストッパによって回転させられることはなく、コロとトリップフックとの係合が外れるようなことはない。また、トリップフックに回転力が発生しないので、トリップフックの復帰ばねのばね定数を小さくできるだけでなく、引き外し電磁石として力の小さい小形のものを用いることができる。
【図面の簡単な説明】
【図１】本発明による開閉装置の実施例１の要部を示す構成図。
【図２】本発明による開閉装置の実施例２の要部を示す構成図。
【図３】本発明による開閉装置の実施例３の要部を示す構成図。
【図４】従来の固体絶縁開閉装置の構成図。
【図５】従来の固体絶縁開閉装置における操作部の斜視図。
【図６】従来の固体絶縁開閉装置における操作部の作用説明図。
【符号の説明】
１０…真空インタラプタ
２３…カム軸
３０…遮断ばね
３０ａ…レバー
３２…主軸
３６…コロ
３６ａ…レバー
７…トリップフック
３７ａ，３７ｂ…突起部
３７ｅ…軸部
３９…復帰ばね
４１…引き外し電磁石
４３…ストッパ
４３ｂ…回動拘束部
Ｇ…隙間。
【図１】
0003861383.tif 000002
【図２】
0003861383.tif 000003
【図３】
0003861383.tif 000004
【図４】
0003861383.tif 000005
【図５】
0003861383.tif 000006
【図６】
0003861383.tif 000007